(57)【要約】      （修正有）【課題】太陽電池パネルを壁に安全に取り付け、積雪による不具合を生じさせず、高い発電効率を維持できる太陽電池パネル壁用取付基台を提供する。【解決手段】上部に連結部３０を備え、壁１０２に取り付けられる壁固定部１４と、連結部により壁固定部に上下方向に回動自在に連結されるパネル搭載部１６と、第１連結片４２と第２連結片４４とを屈曲自在に連結し、第１連結片の端部に壁固定部を取り付け、第２連結片の端部にパネル搭載部を取り付けた駆動リンク機構４８と、駆動リンク機構に係合し、駆動リンク機構を作動させる駆動部１８と、駆動部を作動させる駆動手段と、を備える。少なくとも駆動部は、駆動リンク機構に螺合した送りねじ５０を備え、駆動手段は、送りねじの下端に、下方から結合させ、送りねじを軸周りに回動させる第１ハンドル２０である。【選択図】図１
0003190434.tif 000002
【実用新案登録請求の範囲】
【請求項１】
上部に連結部を備え、壁に取り付けられる壁固定部と、
前記連結部により前記壁固定部に上下方向に回動自在に連結されるパネル搭載部と、
第１連結片と第２連結片とを屈曲自在に連結し、前記第１連結片の端部に前記壁固定部を取り付け、前記第２連結片の端部に前記パネル搭載部を取り付けた駆動リンク機構と、
前記駆動リンク機構に係合し、前記駆動リンク機構を作動させる駆動部と、
前記駆動部を作動させる駆動手段と、を備え、
前記パネル搭載部に太陽電池パネルを搭載させることを特徴とする太陽電池パネル壁用取付基台。
【請求項２】
前記駆動部は、前記駆動リンク機構に螺合した送りねじを備え、
前記駆動手段は、前記送りねじの下端に、前記送りねじの下方から結合させ、前記送りねじを軸周りに回動させる第１ハンドルであることを特徴とする請求項１に記載の太陽電池パネル壁用取付基台。
【請求項３】
前記駆動部は、
前記駆動リンク機構に螺合した送りねじと、
前記送りねじの上部に設けられた、自在継手を有する作動部と、を備え、
前記駆動手段は、前記自在継手を介して前記送りねじに連結した入力端に嵌合する第２ハンドルであることを特徴とする請求項１に記載の太陽電池パネル壁用取付基台。
【請求項４】
前記駆動部は、
前記駆動リンク機構に螺合した送りねじと、
前記送りねじの上部に設けられた、自在継手を有する作動部と、を備え、
前記駆動手段は、前記送りねじの下端に、前記送りねじの下方から結合させ、前記送りねじを軸周りに回動させる第１ハンドル、及び、前記自在継手を介して前記送りねじに連結した入力端に嵌合する第２ハンドルであることを特徴とする請求項１に記載の太陽電池パネル壁用取付基台。
【請求項５】
前記壁固定部は、建物の２階以上の窓の下方に設けられることを特徴とする請求項１〜４のいずれか１項に記載の太陽電池パネル壁用取付基台。
【考案の詳細な説明】
【技術分野】
【０００１】
本考案は、太陽電池パネルを、建物の壁等に取り付ける太陽電池パネル壁用取付基台に関する。
【背景技術】
【０００２】
太陽電池パネルを用いた太陽光発電は、自然エネルギを利用しクリーンであること等から、近年注目されている発電方法である。
【０００３】
太陽電池パネルは、通常、発電効率を高めるため、太陽電池パネルの受光面が太陽に向くように傾斜して設けられている。例えば、地表に傾斜した取付基台を設けて、太陽電池パネルを設置したり、適度に傾斜した屋根に太陽電池パネルを取り付けることが知られている。
【０００４】
又、屋根と同様、建物の壁も直射日光を受けることから、壁に設置した太陽電池パネルで太陽光発電することも有効な発電方法と考えられる。
【先行技術文献】
【特許文献】
【０００５】
【特許文献１】実用新案登録第３０２６８７６号公報
【特許文献２】特開２０１３−０３３８４０号公報
【考案の概要】
【考案が解決しようとする課題】
【０００６】
しかし、太陽電池パネルが傾斜して取り付けられると、降雪時には、太陽電池パネルの上に積もった雪で発電量が低下し、最悪、発電停止を招く可能性がある。
【０００７】
又、太陽電池パネルを建物の壁に取り付ける場合には、建物のそばを通る車両や通行人等が太陽電池パネルに接触することのない位置に、太陽電池パネルを取り付ける必要がある。
【０００８】
本考案は、太陽電池パネルを壁に安全に取り付け、積雪による不具合を生じさせず、高い発電効率を維持できる太陽電池パネル壁用取付基台を提供することを目的とする。
【課題を解決するための手段】
【０００９】
本考案は、太陽電池パネル壁用取付基台を、上部に連結部を備え、壁に取り付けられる壁固定部と、前記連結部により前記壁固定部に上下方向に回動自在に連結されるパネル搭載部と、第１連結片と第２連結片とを屈曲自在に連結し、前記第１連結片の端部に前記壁固定部を取り付け、前記第２連結片の端部に前記パネル搭載部を取り付けた駆動リンク機構と、前記駆動リンク機構に係合し、前記駆動リンク機構を作動させる駆動部と、前記駆動部を作動させる駆動手段と、を備え、前記パネル搭載部に太陽電池パネルを搭載させることにより構成した。
【考案の効果】
【００１０】
本考案によれば、太陽電池パネルを壁に安全に取り付け、積雪による不具合を生じさせず、高い発電効率を維持できる太陽電池パネル壁用取付基台を提供できる。
【図面の簡単な説明】
【００１１】
【図１】本考案にかかる一実施形態の太陽電池パネル壁用取付基台を示す斜視図。
【図２】同太陽電池パネル壁用取付基台を示す斜視図。
【図３】同太陽電池パネル壁用取付基台を示す斜視背面図。
【図４】同太陽電池パネル壁用取付基台の作動部を示す斜視図。
【図５】同太陽電池パネル壁用取付基台を示す斜視背面図。
【図６】同太陽電池パネル壁用取付基台を示す側面図。
【図７】同太陽電池パネル壁用取付基台を示す側面図。
【考案を実施するための形態】
【００１２】
本考案にかかる一実施形態の太陽電池パネル壁用取付基台について図を用いて説明する。図１は、本考案にかかる一実施形態の太陽電池パネル壁用取付基台１０を、開いた状態で示す斜視図である。図２は、太陽電池パネル１２を組み付けた太陽電池パネル壁用取付基台１０を示す斜視図である。図３は、太陽電池パネル１２を組み付けた太陽電池パネル壁用取付基台１０を背面から示す斜視図である。
【００１３】
図４は、太陽電池パネル壁用取付基台１０の作動部５２を一部破断して示す部分断面斜視図である。図５は、太陽電池パネル１２を閉じた状態の太陽電池パネル壁用取付基台１０を背面から示す斜視図である。図６は、太陽電池パネル壁用取付基台１０を用いて太陽電池パネル１２を、建物１００の壁１０２に取り付けた状態を示す側面図である。図７は、太陽電池パネル１２を閉じた状態の太陽電池パネル壁用取付基台１０を示す側面図である。
【００１４】
以下、太陽電池パネル壁用取付基台１０について、太陽電池パネル壁用取付基台１０を壁１０２に取り付けた状態において、太陽電池パネル１２側を、太陽電池パネル壁用取付基台１０の正面とし、それを基準に太陽電池パネル壁用取付基台１０の後方、及び左右を定め、重力の方向を下方、その逆を上方として説明する。
【００１５】
太陽電池パネル壁用取付基台１０は、図１に示すように、壁固定部１４と、太陽電池パネル１２（図２等参照）を組み付けるパネル搭載部１６と、パネル搭載部１６を壁固定部１４に対して回動させる駆動部１８と、駆動部１８に着脱自在に組み付けられる駆動手段としての第１ハンドル２０及び第２ハンドル２２とを備えている。
【００１６】
壁固定部１４は、２本の縦フレーム２４と、左右の縦フレーム２４を連結する横フレーム２６とを備えている。縦フレーム２４は、壁１０２に設けられた支持部材２８にボルト等で固定される。横フレーム２６には、連結部３０が設けられている。連結部３０に、パネル搭載部１６が連結されている。
【００１７】
パネル搭載部１６は、左右２本設けられた縦部材３２と左右の縦部材３２を横方向に連結する３本の横部材３４とを備えている。縦部材３２は、連結部３０を介して壁固定部１４に、前後方向に沿って回動自在に連結されている。横部材３４の前面に、太陽電池パネル１２が取り付けられる。
【００１８】
太陽電池パネル１２は、図２に示すように外周にフレーム１３を備えている。図２に、太陽電池パネル１２の発電パネル部を一部破断して示す。太陽電池パネル１２は、基本的にパネル搭載部１６と同等の大きさを有している。尚、パネル搭載部１６に、複数の太陽電池パネルを組み合わせて搭載してもよい。壁固定部１４とパネル搭載部１６との間に、パネル搭載部１６を作動させる駆動部１８が設けられている。
【００１９】
駆動部１８は、送りねじ機構４０と、第１連結片４２と第２連結片４４とを屈曲自在に連結させた駆動リンク機構４８とを備えている。送りねじ機構４０は、送りねじ５０と送りねじ５０を回動させる作動部５２とスライダ部５４とを備えている。送りねじ５０は、外周面に雄ねじを有するねじ軸で、スライダ部５４に螺合している。送りねじ５０の下端は、環状に形成してあり、第１ハンドル２０に係合する第１入力端５６となっている。送りねじ５０の上部は、作動部５２に連結している。
【００２０】
図４に、作動部５２を示す。作動部５２は、外枠部６０と外枠部６０の内部に設けられた自在継手６２とを備えている。外枠部６０は、壁固定部１４の横フレーム２６に取り付けられた固定片６４と固定片６４に取り付けられた可動片６６とを備えている。固定片６４と可動片６６とは、連結部３０の回動中心と同軸の回動中心で回動自在に組み付けられている。
【００２１】
自在継手６２は、屈曲した状態においても回転を伝達する継手である。自在継手６２は、回動中心が連結部３０の回動中心と同軸に設定されている。自在継手６２の一方の軸部は、固定片６４に軸周りに回動自在に取り付けられている。更に自在継手６２の一方の軸部は、固定片６４から上方に突出し、第２ハンドル２２が連結する第２入力端６８を形成している。自在継手６２の他方の軸部は、可動片６６に軸周りに回動自在に取り付けられ、送りねじ５０の上端に連結している。
【００２２】
駆動リンク機構４８は、図１等に示すように、第１連結片４２と第２連結片４４とからなるリンク片４５を左右に一対備えている。第１連結片４２と第２連結片４４とは、屈曲自在に連結されている。
【００２３】
リンク片４５の一方の端部、すなわち第１連結片４２の一端は、壁固定部１４の縦フレーム２４に回動自在に連結し、他方の端部、すなわち第２連結片４４の一端は、パネル搭載部１６の縦部材３２に回動自在に連結している。
【００２４】
左右のリンク片４５は、連結棒７０で連結されている。連結棒７０は、左右のリンク片４５の屈曲中心に、リンク片４５と回動自在に設けられている。連結棒７０の中央には、スライダ部５４が設けられ、前述したように、スライダ部５４を介して送りねじ５０が螺合している。
【００２５】
又、壁固定部１４とパネル搭載部１６との間には、ガススプリング３６が設けられている。ガススプリング３６は、内部のガスの圧力でガススプリング３６のピストンロッドを伸張させている。したがって、パネル搭載部１６は、ガススプリング３６により適度の圧力で壁固定部１４から離れる、つまり太陽電池パネル壁用取付基台１０が開く方向に付勢されている。
【００２６】
第１ハンドル２０は、図１に示すように、軸部７２と、鉤部７４と、ハンドル部７６とを備えている。軸部７２は、太陽電池パネル壁用取付基台１０の取付高さに適合した適度な長さを有している。ハンドル部７６は、クランク状に形成され、軸部７２の下端に設けられている。鉤部７４は、軸部７２の上端に設けられ、送りねじ５０の第１入力端５６に掛かる形状を有している。鉤部７４を第１入力端５６に掛け、ハンドル部７６を持って軸部７２を回転させると、それに伴い送りねじ５０が軸を中心に回転する。
【００２７】
第２ハンドル２２は、円板部８０と、つかみ部８２と、軸部８４とを備えている。円板部８０は、円板状の部材である。軸部８４は、円板部８０の中心に取り付けられている。つかみ部８２は、円板部８０の中心軸から離れた位置に、軸部８４と逆側の面に取り付けられている。軸部８４の端部には、第２入力端６８に嵌合する嵌合口８６が形成されている。第２ハンドル２２を第２入力端６８に係合して、円板部８０を回転させると、自在継手６２を介して送りねじ５０が軸周りに回転する。
【００２８】
図５に、太陽電池パネル壁用取付基台１０を閉じた状態を示す。これは、第１ハンドル２０や第２ハンドル２２を用いて送りねじ５０を回転させ、スライダ部５４を最も上昇させた状態である。これにより、リンク片４５が屈曲し、壁固定部１４とパネル搭載部１６とが、ほぼ平行に配置される。尚、かかる状態でも、リンク片４５の第１連結片４２と第２連結片４４とは完全に重なっておらず、送りねじ５０を逆方向（左周り）に回転させると、リンク片４５は、太陽電池パネル壁用取付基台１０を開く方向に作動させる。
【００２９】
次に、太陽電池パネル壁用取付基台１０の太陽電池パネル１２の取り付け、及びその作用効果について説明する。図６に、太陽電池パネル壁用取付基台１０を、建物１００の壁１０２に取り付けた状態を示す。
【００３０】
建物１００は、２階建ての、例えば工場等の建物である。建物１００は、壁１０２と、屋根１０４と、壁１０２の１階部分に設けられた１階窓１０６と、２階部分に設けられた２階窓１０８とを備えている。壁１０２は、地表１１２に鉛直に設けられている。又、壁１０２は、図６の紙面に垂直な方向に連続して設けられている。屋根１０４は、適度な傾斜を有し、壁１０２との間に庇１１０が形成してある。建物１００の１階部分と２階部分との間には、２階床１１４が設けられている。１階窓１０６と２階窓１０８との間には、適度な間隔が設けられている。
【００３１】
まず、１階窓１０６と２階窓１０８との間に、支持部材２８を水平方向に２本上下に適度な間隔をあけて固定する。次に、壁固定部１４を、縦フレーム２４を垂直にして、支持部材２８にボルト等で固定する。太陽電池パネル壁用取付基台１０を複数設置する場合は、支持部材２８に沿って水平方向に並べて取り付ける。
【００３２】
太陽電池パネル壁用取付基台１０を壁１０２に取り付けたなら、パネル搭載部１６に、太陽電池パネル１２をねじ等で固定する。尚、太陽電池パネル１２は、予めパネル搭載部１６にねじ等で固定していてもよい。
【００３３】
次に、作業者は、第１ハンドル２０や第２ハンドル２２を用いて、太陽電池パネル１２の受光面が太陽光に対して垂直となるように角度を設定する。尚、予め太陽電池パネル壁用取付基台１０を開いた状態で、支持部材２８に取り付けてもよい。
【００３４】
図６は、夏季、最も太陽の位置が高くなる時期のもので、パネル搭載部１６と壁固定部１４との間での挟み角が最大角度に設定されている。これにより、太陽電池パネル１２は、ほぼ最大効率で発電を行う。
【００３５】
更に、かかる状態で太陽電池パネル１２は、太陽の影を２点鎖線で示すように１階窓１０６に形成し、１階窓１０６を日陰にする。これにより、直射日光による１階室内の温度上昇を緩和させることができる。
【００３６】
太陽電池パネル壁用取付基台１０は、スライダ部５４が送りねじ５０に螺合しているので、太陽電池パネル１２に外力が加えられても、スライダ部５４が移動することはなく、パネル搭載部１６を所望の傾斜角度に保持できる。
【００３７】
一方、冬季においては、作業者は、第１ハンドル２０あるいは第２ハンドル２２を用いて、駆動部１８を作動させ、太陽電池パネル壁用取付基台１０を閉じる。すなわち、降雪が始まる時期になると、作業者は、例えば、地表１１２から第１ハンドル２０の鉤部７４を第１入力端５６に係合させ、ハンドル部７６を回して第１入力端５６、つまり送りねじ５０を右回転させる。
【００３８】
送りねじ５０が右回転すると、スライダ部５４が送りねじ５０に沿って上昇し、リンク片４５の挟み角が小さくなる。最もスライダ部５４が上昇すると、壁固定部１４にパネル搭載部１６がほぼ平行になり、図５、図７に示すように、太陽電池パネル壁用取付基台１０が畳まれた状態となる。
【００３９】
又、地表１１２から作業者が第１ハンドル２０で送りねじ５０を操作できないときには、２階窓１０８から操作を行う。作業者は、２階窓１０８から第２ハンドル２２の嵌合口８６を第２入力端６８に組み付け、つかみ部８２を持って円板部８０を右回転させる。
【００４０】
すると、第２入力端６８が回転し、自在継手６２を介して送りねじ５０が軸周りに右回転する。送りねじ５０が右回りに回転すると、スライダ部５４が送りねじ５０に沿って上昇し、上述したと同様、リンク片４５の挟み角が狭まり壁固定部１４にパネル搭載部１６が近づいて、太陽電池パネル壁用取付基台１０が閉じられる。
【００４１】
このように、太陽電池パネル壁用取付基台１０によれば、作業者は、地表１１２から第１ハンドル２０を用いて駆動部１８を操作して太陽電池パネル１２を鉛直に近い状態に立てたり、あるいは２階窓１０８から第２ハンドル２２を用いて、太陽電池パネル１２を立てることができる。
【００４２】
図７に、太陽電池パネル壁用取付基台１０を畳んだ状態を示す。これにより、太陽電池パネル１２は、壁１０２とほぼ平行に配置され、降雪があっても、太陽電池パネル１２の上に雪が積もることがなく、発電不良等を生じさせない。図７に、屋根１０４の上、及び地表１１２に積もった雪１１６を示す。
【００４３】
太陽電池パネル１２は、壁１０２の前面を向いているので、前方から受けた太陽光により太陽光発電を行うことができる。冬季は、太陽の位置が地表１１２から見て低い位置にあるので、太陽電池パネル１２が垂直に配置されていても、太陽光発電は適宜行われる。又、太陽電池パネル１２は、建物１００の庇１１０の下に配置されるので、屋根１０４から落雪があっても、太陽電池パネル１２に当たることがない。
【００４４】
以上説明したように、太陽電池パネル壁用取付基台１０によれば、建物１００の壁１０２に太陽電池パネル１２を確実に取り付け、太陽光発電を行わせることができる。太陽電池パネル１２は、１階窓１０６と２階窓１０８の間に取り付けられるので、地表１１２を走行する車両や歩行者に当接することはなく、安全が確保できる。
【００４５】
太陽電池パネル壁用取付基台１０は、太陽電池パネル１２の角度を太陽の位置に合わせることにより、高い発電効率を実現できる。又、冬季には、太陽電池パネル１２を壁１０２に沿わせ、太陽電池パネル１２の表面への積雪を防止して太陽光発電を確保できる。
【００４６】
太陽電池パネル１２の角度変更は、地表１１２と２階窓１０８の、いずれからも可能で、積雪時等においても確実に角度変更できる。建物１００の庇１１０により、屋根１０４からの落雪の直撃が免れるので、落雪による太陽電池パネル１２の破損を防止できる。建物１００の壁１０２等、従来利用されていなかった個所に太陽電池パネル１２を設置し、太陽光をより有効に活用できる。
【００４７】
更に、太陽電池パネル１２を鉛直な状態にすると、太陽電池パネル１２の表面を雨や雪が流れ落ちるので、太陽電池パネル１２の表面に付着した埃や汚れ等が効率よく除去される。
【００４８】
尚、本考案は前記実施形態に限られるものではなく、適宜変更して実施できる。例えば、太陽電池パネル壁用取付基台１０は、１階と２階の間でなく、任意の位置、例えば、３階以上の位置に取り付けてもよい。又、駆動部１８は、送りねじ機構でなく、他の駆動部であってもよい。更に駆動部は、電動機を備え、電動で駆動されるようにしてもよい。又、太陽電池パネル壁用取付基台１０は、建物の壁でなく、防音壁、防潮堤等その他の壁に取り付けてもよい。
【産業上の利用可能性】
【００４９】
本考案は、建物等の壁に太陽電池パネルを取り付ける太陽電池パネル壁用取付基台に用いられる。
【符号の説明】
【００５０】
１０…太陽電池パネル壁用取付基台、１２…太陽電池パネル、１３…フレーム、１４…壁固定部、１６…パネル搭載部、１８…駆動部、２０…第１ハンドル、２２…第２ハンドル、２４…縦フレーム、２６…横フレーム、２８…支持部材、３０…連結部、３２…縦部材、３４…横部材、３６…ガススプリング、４０…送りねじ機構、４２…第１連結片、４４…第２連結片、４５…リンク片、４８…駆動リンク機構、５０…送りねじ、５２…作動部、５４…スライダ部、５６…第１入力端、６０…外枠部、６２…自在継手、６４…固定片、６６…可動片、６８…第２入力端、７０…連結棒、７２…軸部、７４…鉤部、７６…ハンドル部、８０…円板部、８２…つかみ部、８４…軸部、８６…嵌合口、１００…建物、１０２…壁、１０４…屋根、１０６…１階窓、１０８…２階窓、１１０…庇、１１２…地表、１１４…２階床
【図１】
0003190434.tif 000003
【図２】
0003190434.tif 000004
【図３】
0003190434.tif 000005
【図４】
0003190434.tif 000006
【図５】
0003190434.tif 000007
【図６】
0003190434.tif 000008
【図７】
0003190434.tif 000009